(57)【要約】      （修正有）【課題】プロジェクタからの映像を好適に大型スクリーンに投影可能な天吊式スクリーン装置を提供すること。【解決手段】本発明は天吊式スクリーン装置に関する。本発明の装置は、ケーシング１０に軸支されたメインロール２０Ａと、収納時にメインロールに巻き戻しされ、使用時にメインロールから下方に巻き出されるスクリーン３０とを有して成る。特に、本発明の装置はサブロール２０Ｂを更に有して成り、サブロールがメインロールからの巻き出しが開始される部分に位置するスクリーンを支持可能と成っている。【選択図】図２
2019139149.tif 000002
【特許請求の範囲】
【請求項１】
天吊式スクリーン装置であって、
ケーシングに軸支されたメインロールと、収納時に前記メインロールに巻き戻しされ、使用時に前記メインロールから下方に巻き出されるスクリーンと
を有して成り、
前記装置がサブロールを更に有して成り、該サブロールが、前記メインロールからの巻き出しが開始される部分に位置する前記スクリーンを支持可能と成っている、天吊式スクリーン装置。
【請求項２】
前記サブロールが、前記スクリーンの巻き出し開始時における前記メインロールに隣接配置されている、請求項１に記載の天吊式スクリーン装置。
【請求項３】
前記サブロールが前記ケーシングに軸支されており、該サブロールの両端部間の長手軸が上方に湾曲可能と成っている、請求項１又は２に記載の天吊式スクリーン装置。
【請求項４】
前記上方に湾曲したサブロールの両端部間の長手軸が下方へ移動可能と成っている、請求項３に記載の天吊式スクリーン装置。
【請求項５】
前記サブロールの下方側から内部へと挿入可能な挿入部材および該サブロール内に供された被押圧部材を更に有して成り、
前記挿入部材が上方へと移動して、前記サブロール内に供された前記被押圧部材を押圧可能と成っている、請求項１〜４のいずれかに記載の天吊式スクリーン装置。
【請求項６】
少なくとも２つのサブロールが所定の間隙を成すように一列に配置されており、各サブロール同士が連結部材を介して連結されており、該連結部材が前記被押圧部材として用いられる、請求項５に記載の天吊式スクリーン装置。
【請求項７】
前記挿入部材の位置調節のための調節部材を更に有して成り、
前記調節部材の位置が変更自在と成っている、請求項５又は６に記載の天吊式スクリーン装置。
【発明の詳細な説明】
【技術分野】
【０００１】
本発明は、天吊式スクリーン装置に関する。特に、本発明は、大型スクリーンを有して成る天吊式スクリーン装置に関する。
【背景技術】
【０００２】
従前より、天吊式スクリーン装置が用いられている。天吊式スクリーン装置は、プロジェクタと併用して一般的に用いられ得る。具体的には、天吊式スクリーン装置の構成要素であるスクリーンを下方に引き下げ、当該スクリーンにプロジェクタからの映像を投影するという形態が採られる。
【先行技術文献】
【特許文献】
【０００３】
【特許文献１】特開２００４−３３３６０３号公報
【発明の概要】
【発明が解決しようとする課題】
【０００４】
ここで、本願発明者らは、大型スクリーン（例えば１２０インチのスクリーン）を備えた天吊式スクリーン装置を用いる場合、以下の問題が生じ得ることを見出した（図７および図８参照）。
【０００５】
具体的には、ロール２０’に巻回される大型スクリーン３０’はその幅および巻き出し方向長さが相対的に大きいことに起因して、ロール２０’にはスクリーン３０’の大きな荷重が重力方向にかかりやすい状態にある。そのため、図８に示すようにケーシング１０’に軸支されたロール２０’自体が下方に弓形状に湾曲し易くなる。特に、本願発明者らは、ロール２０’の長手寸法が相対的に大きい（例えば１５００ｍｍ〜３０００ｍｍ）一方その短手寸法が相対的に小さい（例えば４５ｍｍ〜５５ｍｍ）場合に、上記ロール２０’の下方への湾曲が発生し易いことを見出した（図８参照）。この事は、ロール２０’の長手寸法が大きいにもかかわらずその短手寸法が小さいと、短手寸法が大きい（例えば１００ｍｍ〜１５０ｍｍ）場合と比べてロール２０’全体の強度が低くなることに起因すると考えられる。
【０００６】
この状況下で大型スクリーン３０’を巻き出すと、ロール２０’自体が下方に弓形状に湾曲していることに起因して、ロール２０’に巻回された大型スクリーン３０’も下方に弓形状に湾曲し得る。そのため、この状態で大型スクリーン３０’の巻き出しを開始し、最終的に巻き出しを完了した際に、本願発明者らは、巻き出し完了後の大型スクリーン３０’（特に大型スクリーン３０’の上側領域）にＶ字状の皺３１’が生じ得ることを見出した。なお、大型スクリーン３０’の上側領域にＶ字状の皺３１’が生じ得る原因としては、当該上側領域はロール２０’から最終的に巻き出される部分であるため、当該部分が時間的に最後まで下方に湾曲したロール２０’に巻かれた状態であることに起因すると考えられる。かかるＶ字状の皺３１’発生部分に映像３２’が投影されると、当該皺３１’発生部分に投影された映像は、皺が発生していない部分に投影された映像と比べて歪み３３’が生じ易くなる（図７参照）。そのため、当該歪み３３’に起因して、映像３２’を全体として好適に視ることが困難となる虞がある。
【０００７】
本発明は、かかる事情に鑑みて為されたものである。すなわち、本発明の目的は、プロジェクタからの映像を好適に大型スクリーンに投影可能な天吊式スクリーン装置を提供することである。
【課題を解決するための手段】
【０００８】
上記目的を達成するために、本発明の一実施形態では、
天吊式スクリーン装置であって、
ケーシングに軸支されたメインロールと、収納時に前記メインロールに巻き戻しされ、使用時に前記メインロールから下方に巻き出されるスクリーンと
を有して成り、
前記装置がサブロールを更に有して成り、該サブロールが、前記メインロールからの巻き出しが開始される部分に位置する前記スクリーンを支持可能と成っている、天吊式スクリーン装置が提供される。
【０００９】
ある好適な態様では、前記サブロールが、前記スクリーンの巻き出し開始時における前記メインロールに隣接配置されている。
【００１０】
ある好適な態様では、前記サブロールが前記ケーシングに軸支されており、該サブロールの両端部間の長手軸が上方に湾曲可能と成っている。
【００１１】
ある好適な態様では、前記上方に湾曲したサブロールの両端部間の長手軸が下方へ移動可能と成っている。
【００１２】
ある好適な態様では、前記サブロールの下方側から内部へと挿入可能な挿入部材および該サブロール内に供された被押圧部材を更に有して成り、該挿入部材が上方へと移動して、該サブロール内に供された該被押圧部材を押圧可能となっている。
【００１３】
ある好適な態様では、少なくとも２つのサブロールが所定の間隙を成すように一列に配置されており、各サブロール同士が連結部材を介して連結されており、前記連結部材が前記被押圧部材として用いられる。
【００１４】
ある好適な態様では、前記挿入部材の位置調節のための調節部材を更に有して成り、前記調節部材の位置が変更自在と成っている。
【発明の効果】
【００１５】
本発明の天吊式スクリーン装置によれば、プロジェクタからの映像を好適に大型スクリーンに投影可能である。
【図面の簡単な説明】
【００１６】
【図１】本発明の一実施形態に係る天吊式スクリーン装置の概略全体図
【図２】図１の線分Ｘ−Ｘ’に沿った本発明の一実施形態に係る天吊式スクリーン装置の概略断面図
【図３Ａ】取付部材に取り付けられ、かつサブロールに供された間隙に挿入可能な挿入部材の概略平面図
【図３Ｂ】取付部材に取り付けられ、かつサブロールに供された間隙に挿入可能な挿入部材の概略断面図
【図３Ｃ】取付部材に取り付けられ、かつサブロールに供された間隙に挿入可能な挿入部材の概略側面図
【図４Ａ】取付部材の概略平面図
【図４Ｂ】取付部材の概略断面図
【図４Ｃ】一方の側から見た取付部材の概略側面図
【図４Ｄ】他方の側から見た取付部材の概略側面図
【図５Ａ】サブロールに供された間隙に挿入可能な挿入部材の概略底面図
【図５Ｂ】サブロールに供された間隙に挿入可能な挿入部材の概略側面図
【図５Ｃ】サブロールに供された間隙に挿入可能な挿入部材自体の概略断面図
【図５Ｄ】挿入部材の位置調節のための調節部材の概略断面図
【図５Ｅ】調節部材を配置するために取付部材に取り付けられたプレート部材の概略平面図
【図５Ｆ】調節部材を配置するために取付部材に取り付けられたプレート部材の概略側面図
【図６Ａ】ロール端部とケーシングとの配置関係を示した概略断面図
【図６Ｂ】ロール端部と接続するケーシングの概略平面図
【図６Ｃ】ロール端部と接続するケーシングの概略端面図
【図６Ｄ】ロール端部と接続するケーシングの概略断面図
【図７】展張時のＶ字状の皺を有する大型スクリーンの概略図（本願の技術的課題を示す図）
【図８】下方に湾曲したロールの概略図（本願の技術的課題を示す図）
【発明を実施するための形態】
【００１７】
以下、本発明の一実施形態に係る天吊式スクリーン装置について図面を用いて説明する。
【００１８】
上述のように、本願発明者らは、大型スクリーン３０’が巻回されるロール２０’の長手寸法が相対的に大きい（例えば１５００ｍｍ〜３０００ｍｍ）一方その短手寸法が相対的に小さい（例えば４５ｍｍ〜５５ｍｍ）場合に、当該ロール２０’の下方への弓形状湾曲が特に発生し易いことを見出した（図８参照）。ロール２０’自体が下方に弓形状に湾曲していると、それに起因してロール２０’に巻回された大型スクリーン３０’も下方に弓形状に湾曲し得る。そのため、この状態で大型スクリーン３０’の巻き出しを開始し、最終的に巻き出しを完了した際に、大型スクリーン３０’にＶ字状の皺３１’が生じ得る（図７参照）。
【００１９】
（本発明の技術的思想）
本願発明者らは、かかる技術的課題を解決するために鋭意検討した結果、「大型スクリーン巻回用のロールとは異なるロールを新たに供し、当該新たなロールを、大型スクリーン巻回用のロールからの巻き出し開始部分に位置するスクリーンを支持するために用いる」という技術的思想を案出した。
【００２０】
下方に湾曲し得るロールに起因して「巻き出し開始時の大型スクリーンも湾曲する虞があるが、上記技術的思想によれば、ロールからの巻き出し開始部分に位置するスクリーンが支持される。そのため、当該支持により巻き出し開始時の大型スクリーンが“現実に”下方へと湾曲することを好適に回避することが可能となる。この事は、ロールから所定長さ巻き出された位置にあるスクリーンを支持しても技術的意義は乏しいことを意味する。何故ならば、下方に湾曲するロールに起因して、ロールから所定長さ巻き出された位置にあるスクリーンはその湾曲状態が既に完成してしまっていると解するためである。以上の事からも、巻き出し開始時の大型スクリーンが“現実に”下方へと湾曲することを回避する観点からも、巻き出し開始部分に位置するスクリーンに対して上記対応をすることに技術的意義がある。
【００２１】
以上、本発明の技術的思想および当該技術的思想に基づく効果について説明した。
【００２２】
＜天吊式スクリーン装置の構成＞
以下、上記技術的思想をふまえた上で、本発明の一実施形態に係る天吊式スクリーン装置の全体的構成について説明する。
【００２３】
図１は、本発明の一実施形態に係る天吊式スクリーン装置の概略全体図を示す。図２は、図１の線分Ｘ−Ｘ’に沿った本発明の一実施形態に係る天吊式スクリーン装置の概略断面図を示す。図３Ａは取付部材に取り付けられ、かつサブロールに供された間隙に挿入可能な挿入部材の概略平面図を示す。図３Ｂは取付部材に取り付けられ、かつサブロールに供された間隙に挿入可能な挿入部材の概略断面図を示す。図３Ｃは取付部材に取り付けられ、かつサブロールに供された間隙に挿入可能な挿入部材の概略側面図を示す。図４Ａは取付部材の概略平面図を示す。図４Ｂは取付部材の概略断面図を示す。図４Ｃは一方の側から見た取付部材の概略側面図を示す。図４Ｄは他方の側から見た取付部材の概略側面図を示す。
【００２４】
図５Ａはサブロールに供された間隙に挿入可能な挿入部材自体の概略底面図を示す。図５Ｂはサブロールに供された間隙に挿入可能な挿入部材自体の概略側面図を示す。図５Ｃはサブロールに供された間隙に挿入可能な挿入部材自体の概略断面図を示す。図５Ｄは挿入部材の位置調節のための調節部材の概略断面図を示す。図５Ｅは調節部材を配置するために取付部材に取り付けられたプレート部材の概略平面図を示す。図５Ｆは調節部材を配置するために取付部材に取り付けられたプレート部材の概略側面図を示す。図６Ａはロール端部とケーシングとの配置関係を示した概略断面図を示す。図６Ｂはケーシングの概略平面図を示す。図６Ｃはケーシングの概略端面図を示す。図６Ｄはケーシングの概略断面図を示す。
【００２５】
本発明の一実施形態に係る天吊式スクリーン装置１００は、ケーシング１０、ケーシング１０に軸支されたメインロール２０Ａ（スプリングロールに相当）と、メインロール２０Ａに巻回可能なスクリーン３０と、ケーシング１０に取り付けられかつメインロール２０Ａの中央領域に設けられた取付部材６０と、取付部材６０の底部に配置されたプレート部材７０とを少なくとも備えている（図１〜図６Ｄ参照）。メインロール２０Ａの両端部はケーシング１０に軸支されている（図６Ａ〜図６Ｃ）。メインロール２０Ａ（スプリングロールに相当）当該スクリーン３０は、収納時にメインロール２０Ａに巻き戻しされ、使用時にメインロール２０Ａから巻き出されるように構成されている。メインロール２０Ａの長手寸法は１５００ｍｍ〜３０００ｍｍであってよく、かつメインロール２０Ａの短手寸法が４５ｍｍ〜５５ｍｍであってよい。つまり、本発明では、上述のように、使用される巻回用ロールが通常適用される短手寸法（例えば１００ｍｍ〜１５０ｍｍ）と比べて相対的に小さな短手寸法を有する巻回用ロールが使用されてよい。しかしながら、本発明では、相対的に小さな短手寸法を有する巻回用ロールの使用に限定されることなく、大型スクリーン（例えば１２０インチのスクリーン）を巻回可能なメインロールであるならば、相対的に大きな短手寸法を有する巻回用ロール、電動巻回用ロールの使用がされてよい。
【００２６】
本発明では、天吊式スクリーン装置１００がサブロール２０Ｂを更に有して成る。当該サブロール２０Ｂはケーシング１０にその両端が軸支されている（図２、図３Ｂおよび図６Ｄ）。特に、本発明では、当該サブロール２０Ｂがメインロール２０Ａからの巻き出し開始部分９０に位置する大型スクリーン３０を支持可能と成っている。この事が本発明の主たる技術的特徴である。なお、本明細書でいう「メインロール２０Ａからの巻き出し開始部分９０に位置する大型スクリーン３０」とは、（１）全てのスクリーン３０がメインロール２０Ａに巻回された状態から巻き出しが開始される箇所に位置するスクリーン３０と、（２）スクリーン３０の一部がメインロール２０Ａに巻回された状態から巻き出しが開始される箇所に位置するスクリーン３０とを含み得る。かかる技術的特徴が供される場合、サブロール２０Ｂが大型スクリーン３０の巻き出し開始時におけるメインロール２０Ａに隣接配置されていることを意味する。大型スクリーン巻き出し開始時においては、断面視にてメインロール２０Ａは所定厚みのスクリーン３０によって囲まれた状態となる。
【００２７】
つまり、サブロール２０Ｂは、メインロール２０Ａを囲む所定厚みのスクリーン３０に隣接して配置される。本明細書でいう「隣接配置」とは、サブロール２０Ｂとメインロール２０Ａを囲む所定厚みの大型スクリーン３０とが互いに最直近の配置関係にあることを指す。特に限定されるものではないが、両者の離隔距離が３ｍｍ〜３０ｍｍであってよく、好ましくは６ｍｍ〜１５ｍｍであり、例えば１０ｍｍである。かかる数値範囲内であれば、サブロール２０Ｂがメインロール２０Ａに相対的に隣接して配置され、それによって、サブロール２０Ｂが「巻き出し開始部分に位置する大型スクリーン３０を好適に支持可能となる。なお、上記離隔距離は一例にすぎない。例えば３００インチを超えるような超大型スクリーンでは、サブロール２０Ｂによって巻き出し開始部分９０に位置する大型スクリーン３０が“支持”されることを前提として、上記離隔距離はより大きくなってよい。
【００２８】
かかる構成によれば、メインロール２０Ａからの巻き出し開始部分９０に位置する大型スクリーン３０が支持される。つまり、スクリーン３０の巻き出し開始時において、サブロール２０Ｂとメインロール２０Ａを囲む所定厚みの大型スクリーン３０とが互いに最直近の配置関係にある。そのため、かかる配置関係により、大型スクリーン３０は巻き出し開始時と略同時にサブロール２０Ｂにより支持されることとなり、それによって、下方に湾曲し得るメインロール２０Ａに起因して“現実に”下方へと湾曲することを好適に回避することが可能となる。巻き出し開始部分９０に位置する大型スクリーン３０の下方湾曲が回避されるため、巻き出しをその後継続して大型スクリーン３０を展張する際において、当該下方湾曲回避に起因して展張時の大型スクリーン３０にＶ字状の皺が生じ得ることを好適に回避可能となる。つまり、本発明は、サブロール２０Ｂが単にガイドロールとして機能するのでなく巻き出し開始部分における「スクリーン下方湾曲防止部材」として機能する点に技術的特徴を有する。
【００２９】
本明細書でいう「サブロール２０Ｂによる巻き出し開始部分９０に位置する大型スクリーン３０の“支持”」とは、広義には巻き出し開始部分９０に位置する大型スクリーン３０がサブロール２０Ｂと接するように、サブロール２０Ｂが大型スクリーン３０の直下に位置する態様を指す。換言すれば、本明細書でいう「サブロール２０Ｂによる巻き出し開始部分９０に位置する大型スクリーン３０の“支持”」とは、広義には巻き出し開始部分９０に位置する大型スクリーン３０がサブロール２０Ｂと接するように、大型スクリーン３０がサブロール２０Ｂの直上に位置する態様を指す。又、本明細書でいう「サブロール２０Ｂによる巻き出し開始部分９０に位置する大型スクリーン３０の“支持”」とは、狭義には「断続的な支持を指すのではなく連続的な支持」を意味する。かかる技術的定義に従えば、時間的に最後まで下方に湾曲し得るメインロール２０Ａに巻かれる部分（すなわち、メインロール２０Ａから最終的に巻き出される部分）もサブロール２０Ｂにより好適に支持可能となる。従って、本発明では、当該サブロール２０Ｂによる支持により、メインロール２０Ａから最終的に巻き出される部分が“現実に”下方へと湾曲することを好適に回避することが可能となる。それ故、Ｖ字状の皺が特に生じ易いと考えられる大型スクリーン３０の上側領域においても、当該皺発生を好適に回避することが可能である。この点において、本発明は技術的意義を特に有する。
【００３０】
以下、上記サブロール２０Ｂを有して成る天吊式スクリーン装置１００の使用時の基本的動作態様について確認的に説明する。
（１）利用者によってメインロール２０Ａに巻き回しされているスクリーン３０の巻出しが開始される。
（２）当該スクリーン３０の巻出しが開始されると、巻き出し開始部分９０に位置するスクリーン３０がメインロール２０Ａに巻き回しされたスクリーン３０から離隔する。
（３）メインロール２０Ａに巻き回しされたスクリーン３０から離隔した「巻き出し開始部分９０に位置する」大型スクリーン３０が、サブロール２０Ｂによって支持される。
当該サブロール２０Ｂによって「巻き出し開始部分９０に位置する」スクリーン３０が支持されることで、下方に湾曲し得るメインロール２０Ａに起因してスクリーン３０が下方へと湾曲することを回避することが可能となる。巻き出し開始部分９０に位置する大型スクリーン３０の下方湾曲が回避されるため、巻き出しをその後継続して大型スクリーン３０を展張する際において、当該下方湾曲回避に起因して展張時の大型スクリーン３０にＶ字状の皺が生じ得ることを好適に回避可能となる。
【００３１】
本発明は、下記態様を採ることが好ましい。
【００３２】
一態様では、サブロール２０Ｂがケーシング１０に軸支されており、当該サブロール２０Ｂの両端部間の長手軸が上方に湾曲可能と成っていることが好ましい。又、上方に湾曲したサブロール２０Ｂの両端部間の長手軸が下方へ移動可能と成っていることが好ましい。なお、本明細書でいう「上方」とは、天吊式スクリーン装置１００の構成要素であるスクリーン３０を下方に引き下げて展張させる方向とは反対側の方向を指す。本明細書でいう「下方」とは、天吊式スクリーン装置１００の構成要素であるスクリーン３０を下方に引き下げて展張させる方向を指す。
【００３３】
メインロール２０Ａからスクリーン３０の巻き出しが開始される場合において、当該スクリーン３０の巻き出し位置は下記態様となり得る。具体的には、全てのスクリーン３０がメインロール２０Ａに巻回された状態から巻き出しを開始する際のスクリーン３０の巻き出し位置と、スクリーン３０の一部がメインロール２０Ａに巻回された状態から巻き出しが開始される（為される）際のスクリーン３０の巻き出し位置とは異なる。具体的には、全てのスクリーン３０がメインロール２０Ａに巻回された状態から巻き出しを開始する際のスクリーン３０の巻き出し位置は、スクリーン３０の一部がメインロール２０Ａに巻回された状態から巻き出しが開始される際のスクリーン３０の巻き出し位置よりも、所定厚み巻回されていることに起因して高いレベルにある。これに対して、スクリーン３０の一部がメインロール２０Ａに巻回された状態から巻き出しが開始される際のスクリーン３０の巻き出し位置は、全てのスクリーン３０がメインロール２０Ａに巻回された状態から巻き出しを開始する際のスクリーン３０の巻き出し位置よりも所定厚み巻回されていないことに起因して低いレベルにある。巻き出し位置が相違するにもかかわらず、サブロール２０Ｂが断面視で同じ位置に維持されると、上記でいうサブロール２０Ｂによる巻き出し部分に位置する大型スクリーン３０の“連続的な支持”が困難となる場合が生じる虞がある。
【００３４】
かかる事情をふまえ、スクリーン３０の巻き出し位置が相対的に“高い”レベルにある場合、ケーシング１０に軸支されたサブロール２０Ｂの両端部間の長手軸が上方に湾曲可能と成っていることが好ましい。これによれば、スクリーン３０の巻き出し位置が相対的に“高い”レベルにある場合、「サブロール２０Ｂ」と「巻き出しが開始される部分９０（巻き出し開始部分に相当）に位置する大型スクリーン３０」との間に“隙間”が生じ得るとしても、サブロール２０Ｂを上方に移動させることで、当該“隙間”を好適に無くすことが可能となる。より具体的には、「サブロール２０Ｂ」と「全て（実質的に全て）のスクリーン３０がメインロール２０Ａに巻回された状態から巻き出しが開始される部分に位置するスクリーン３０」との間に“隙間”が生じ得るとしても、サブロール２０Ｂを上方へと移動させることで、当該“隙間”を好適に無くすことが可能となる。これにより、スクリーン３０の巻き出し位置が相対的に“高い”レベルにある場合において、サブロール２０Ｂにより、全て（実質的に全て）のスクリーン３０がメインロール２０Ａに巻回された状態から巻き出しが開始される部分９０に位置する大型スクリーン３０の“連続的な支持”を好適に維持することが可能となる。
【００３５】
一方、スクリーン３０の巻き出し位置が相対的に“低い”レベルにある場合、上方に湾曲したサブロール２０Ｂの両端部間の長手軸が下方へ移動可能と成っていることが好ましい。具体的には、上方に湾曲したサブロール２０Ｂは、上方に湾曲させる前の初期配置箇所側へと向かって下方へ移動可能と成っていることが好ましい。これによれば、スクリーン３０の巻き出し位置が相対的に“低い”レベルにある場合、「サブロール２０Ｂ」と「スクリーン３０の一部がメインロール２０Ａに巻回された状態から巻き出しが開始される部分に位置するスクリーン３０」との間に“隙間”が生じ得るとしても、上方に湾曲したサブロール２０Ｂを下方へと移動させることで、当該“隙間”を好適に無くすことが可能となる。より具体的には、「サブロール２０Ｂ」と「スクリーン３０の一部がメインロール２０Ａに巻回された状態から巻き出しが開始される部分に位置するスクリーン３０」との間に“隙間”が生じ得るとしても、上方に湾曲したサブロール２０Ｂを、上方に湾曲させる前の初期配置箇所側へと向かって下方へと移動させることで、当該“隙間”を好適に無くすことが可能となる。これにより、スクリーン３０の巻き出し位置が相対的に“低い”レベルにある場合においても、サブロール２０Ｂにより、スクリーン３０の一部がメインロール２０Ａに巻回された状態から巻き出しが開始される部分に位置するスクリーン３０の“連続的な支持”を好適に維持することが可能となる。
【００３６】
なお、上述のようにサブロール２０Ｂの両端は通常ケーシング１０に軸支され得る。そのため、上記のサブロール２０Ｂの上方移動が為される場合、その両端がケーシング１０に軸支されていることに起因して、サブロール２０Ｂの両端部間の長手軸は上方に湾曲することが可能となる。より具体的には、その両端がケーシング１０に軸支されていることに起因して、サブロール２０Ｂの長手軸を断面視で上方に弓形状に湾曲し得る。その両端がケーシング１０に軸支されているため、湾曲前と比べてサブロール２０Ｂの長手軸の側部領域の湾曲の程度は相対的に小さい一方、サブロール２０Ｂの長手軸の中央領域の湾曲の程度は相対的に大きくなり得る。特に限定されるものではないが、サブロール２０Ｂの長手軸の中央領域および側部領域の両領域を全体的に捉えた場合に、サブロール２０Ｂの長手軸は上方に０．５ｍｍ〜１０ｍｍ湾曲可能と成っていてよい。又、サブロール２０Ｂは、巻き出し開始位置のスクリーン３０を好適に支持できるようにその両端がケーシングに軸支された初期状態から上方へと湾曲可能となる材料から成っていてよい。特に限定されるものではないが、当該湾曲特性を有する観点から、サブロール２０Ｂはアルミニウム系材料、ステンレス系材料、鉄系材料から成っていてよい。この中でも、ヤング率の値が小さい（即ち、撓みやすさの程度が大きい）アルミニウム系材料、ステンレス系材料の使用が為されてよい。
【００３７】
これにつき、大型スクリーンがメインロール２０Ａに巻回されている場合、大型スクリーンの大きな荷重が重力方向にかかり易いことに起因してメインロールが下方に弓形状に湾曲し、それに同期して巻回されるスクリーンも下方に弓形状に湾曲しやすい。そのため、スクリーン巻き出し時において、スクリーンの中央領域が最も下方に湾曲していると言える。つまり、最も下方に湾曲したスクリーンの中央領域が結果として展張時のスクリーンのＶ字状の皺に悪影響を及ぼすと考えられる。一方、本態様では、サブロール２０Ｂの長手軸を断面視で上方に弓形状に湾曲し得るため、サブロール２０Ｂの長手軸の中央領域を最も上方に湾曲し得る。そこで、スクリーン巻き出し時に最も下方に湾曲するスクリーンの中央領域に対して最も上方に湾曲し得るサブロール２０Ｂの中央領域を位置付ければ、両者が互いに相殺関係にすることができる。これにより、当該相殺関係に起因して巻き出し時のスクリーンの中央領域の下方湾曲を好適に回避することが可能となる。
【００３８】
一態様では、サブロール２０Ｂの下方側から内部へと挿入可能な挿入部材４０およびサブロール２０Ｂ内に供された被押圧部材８０を更に有して成り、挿入部材４０が上方へと移動して、サブロール２０Ｂ内に供された被押圧部材８０を押圧可能となっていることが好ましい。
【００３９】
図２、図３Ａ〜Ｃ、および図５Ａ〜Ｃに示すように、サブロール２０Ｂの下方側から内部へと挿入可能な挿入部材４０が更に供され、当該挿入部材４０は上方に移動可能と成っている。又、サブロール２０Ｂ内に被押圧部材８０が供されている。当該挿入部材４０は、ケーシング１０に取り付けられかつメインロール２０Ａの中央領域に設けられた取付部材６０に設けられている。具体的には、取付部材６０は断面視で逆Ｌ字形態を成し、挿入部材４０は上方に延在する面に配置されている。かかる構成によれば、挿入部材４０がサブロール２０Ｂ内に挿入された後上方への移動を開始すると、後刻に被押圧部材８０に接触して当該部材８０を押圧可能となる。被押圧部材８０が押圧されると、それに起因してサブロール２０Ｂ自体を上方へと移動させることが可能となる。これにより、サブロール２０Ｂ内の被押圧部材８０に対する挿入部材４０の押圧移動によるサブロール２０Ｂの上方移動が可能となるため、上述のように「サブロール２０Ｂ」と「巻き出しが開始される部分９０に位置する大型スクリーン３０」との間に“隙間”が生じ得ることが認められる場合に、当該“隙間”を好適に無くすことが可能となる。これにより、サブロール２０Ｂにより、巻き出しが開始される部分９０に位置する大型スクリーン３０の“連続的な支持”を好適に維持することが可能となる。
【００４０】
一態様では、少なくとも２つのサブロール２０Ｂ１、２０Ｂ２が所定の間隙Ｓを成すように一列に配置されており、各サブロール２０Ｂ１、２０Ｂ２同士が連結部材８１を介して連結されており、連結部材８１が被押圧部材８０として用いられることが好ましい。
【００４１】
本態様は、上記のサブロール２０Ｂの下方側から内部への挿入部材４０の上方移動の具体的手段について示すものである。具体的には、図３Ａおよび図３Ｃに示すように、少なくとも２つのサブロール２０Ｂ１、２０Ｂ２が所定の間隙Ｓを成すように一列に配置されている場合に、挿入部材４０が当該間隙Ｓを通じてサブロール２０Ｂの下方側から内部へと上方移動可能となる。そして、図３Ａに示すように、各サブロール２０Ｂ１、２０Ｂ２同士が連結部材８１を介して連結されている。この場合、挿入部材４０がサブロール２０Ｂ内の間隙Ｓを通じて上方へと移動すると、後刻に連結部材８１に接触して当該部材８１を押圧可能となる。つまり、連結部材８１は上記の被押圧部材８０として機能することを意味する。連結部材８１が押圧されると、それに起因してサブロール２０Ｂ自体を上方へと移動させることが可能となる。これにより、サブロール２０Ｂ内の連結部材８１に対する挿入部材４０の押圧移動によるサブロール２０Ｂの上方移動が可能となる。従って、上述のように「サブロール２０Ｂ」と「巻き出しが開始される部分９０に位置する大型スクリーン３０」との間に“隙間”が生じ得ることが認められる場合に、当該“隙間”を好適に無くすことが可能となる。
【００４２】
一態様では、挿入部材４０の位置調節のための調節部材５０を更に有して成り、調節部材５０の位置が変更自在と成っていることが好ましい。
【００４３】
本態様は、挿入部材４０の位置調節をするための具体的に実現するための手段について示すものである。図２、図３Ｂ〜Ｃおよび図５Ｄに示すように、その位置を変更自在な調節部材５０が挿入部材４０と接続するように当該挿入部材４０の下方領域に供される。当該調節部材５０は、取付部材６０の底部に配置されたプレート部材７０の端部に固定されている。調節部材５０についてはその位置を変更自在であるため、当該調節部材５０の位置を変更することで、調節部材５０に接続された挿入部材４０の位置も同時に変更することが可能となる。特に限定されるものではないが、調節部材５０としてネジ機構５１が用いられてよい。外部から作業者がネジ機構５１を動作させることでその位置を変更させることが可能となる。具体的には、ネジ機構５１を上方に締め上げる方向に動作させる場合には、ネジ機構５１に接続された挿入部材４０を上方へと移動させることが可能となる。そのため、挿入部材４０の上方移動により、後刻に被押圧部材８０を押圧可能となる。被押圧部材８０が押圧されると、それに起因してサブロール２０Ｂ自体を上方へと移動させることが可能となる。従って、上述のように「サブロール２０Ｂ」と「巻き出しが開始される部分９０に位置する大型スクリーン３０」との間に“隙間”が生じ得ることが認められる場合に、当該“隙間”を好適に無くすことが可能となる。
【００４４】
以上、本発明の一実施形態に係る天吊式スクリーン装置について説明してきた。しかしながら、これに限定されることなく、特許請求の範囲に規定される範囲から逸脱することなく種々の変更が当業者によってなされると理解されよう。
【産業上の利用可能性】
【００４５】
本発明の一実施形態に係る天吊式スクリーン装置は、大型スクリーン使用時に有利である。特に、大型スクリーンが巻回されるロールの長手寸法が相対的に大きい（例えば１５００ｍｍ〜３０００ｍｍ）一方その短手寸法が相対的に小さい（例えば４５ｍｍ〜５５ｍｍ）場合に特に有利である。
【符号の説明】
【００４６】
１０、１０’            ケーシング
２０’                  ロール
２０Ａ                    メインロール
２０Ｂ、２０Ｂ１、２０Ｂ２  サブロール
３０、３０’              大型スクリーン
３１’                    Ｖ字状の皺
３２’                    映像
３３’                    映像の歪み
４０                      挿入部材
５０                      位置調節のための調節部材
５１                      ネジ機構
６０                      取付部材
７０                      プレート部材
８０                      被押圧部材
８１                      連結部材
９０                      巻き出し開始部分
１００、１００’          天吊式スクリーン装置
Ｓ                        間隙
【図１】
2019139149.tif 000003
【図２】
2019139149.tif 000004
【図３Ａ】
2019139149.tif 000005
【図３Ｂ】
2019139149.tif 000006
【図３Ｃ】
2019139149.tif 000007
【図４Ａ】
2019139149.tif 000008
【図４Ｂ】
2019139149.tif 000009
【図４Ｃ】
2019139149.tif 000010
【図４Ｄ】
2019139149.tif 000011
【図５Ａ】
2019139149.tif 000012
【図５Ｂ】
2019139149.tif 000013
【図５Ｃ】
2019139149.tif 000014
【図５Ｄ】
2019139149.tif 000015
【図５Ｅ】
2019139149.tif 000016
【図５Ｆ】
2019139149.tif 000017
【図６Ａ】
2019139149.tif 000018
【図６Ｂ】
2019139149.tif 000019
【図６Ｃ】
2019139149.tif 000020
【図６Ｄ】
2019139149.tif 000021
【図７】
2019139149.tif 000022
【図８】
2019139149.tif 000023